(57)【要約】【課題】人手を要しないで計数できる持運び自由なセンサーでセンシングした信号を、ワイヤレスで送信し、受信側のデジタルカウンタで受信した信号のカウント数を表示する。【解決手段】人が通過する光の変化の量を電気信号に変換するための光センサで検知した信号を送信機１００からＩＤ信号を付加して無線により送信する。受信機２００では、予め登録されているＩＤ信号と一致するＩＤ信号が付加された信号を受信し、受信した信号を計数して計数部のカウンタ表示部に人数を表示する。【選択図】図１
0003162244.tif 000002
【実用新案登録請求の範囲】
【請求項１】
光を受光して信号を検出する光センサ部と、前記光センサ部で検出された信号に基づいて物体の通過を検知する検知部と、前記検知部により検知された通過情報を無線信号で送信する送信部とを備える送信機と、
前記送信部から送信された無線信号を受信し、受信した無線信号の通過情報を検出する受信部と、前記受信部で検出された通過情報に基づいて計数する計数部と、前記計数部により計数された計数情報を出力する出力部とを備える受信機と、
を有することを特徴とするワイヤレスカウンタ。
【請求項２】
前記送信部は、前記送信する無線信号に、当該送信機の識別情報を付加して送信し、
前記受信部は、予め登録されている識別情報と一致する、前記送信部から送信された前記識別情報が付加された無線信号を受信することを特徴とする請求項１に記載のワイヤレスカウンタ。
【請求項３】
前記受信部は、複数の送信機から送信された無線信号をそれぞれ受信し、複数の送信機から送信された無線信号の通過情報をそれぞれ検出し、
前記計数部は、前記受信部で検出された、複数の送信機からそれぞれ送信されたすべての通過情報を累計し、
前記出力部は、前記計数部で累計された計数情報を出力することを特徴とする請求項１または２に記載のワイヤレスカウンタ。
【請求項４】
前記送信機を、複数有し、
前記複数の送信機の各送信部は、前記送信する無線信号に、当該送信機の識別情報を付加して送信し、
前記受信部は、前記送信機の前記識別情報を登録する登録手段と、前記送信部から送信された前記識別情報が付加された無線信号を受信し、前記登録手段に登録されている識別情報と一致する識別情報が付加された無線信号を判別する判別手段と、前記判別手段により判別された無線信号の通過情報を検出して送出する送出手段とを備えることを特徴とする請求項１ないし３のいずれかに記載のワイヤレスカウンタ。
【請求項５】
前記送信部は、予め定められた周波数チャンネルで前記無線信号を送信し、
前記受信部は、前記周波数チャンネルで送信された前記無線信号を受信し、前記予め定められた周波数チャンネル以外の他の周波数チャンネルで送信された無線信号を受信しないことを特徴とする請求項１ないし４のいずれかに記載のワイヤレスカウンタ。
【請求項６】
物体の通過を検知した通過情報に基づいて計数出力する受信機に対して無線信号を送信する送信機であって、
光を受光して信号を検出する光センサからの入力を受け付けるセンサ入力部と、前記センサ入力部で入力された信号に基づいて物体の通過を検知する検知部と、前記検知部により検知された通過情報を無線信号で送信する送信部と
を備えることを特徴とするワイヤレスカウンタにおける送信機。
【請求項７】
前記送信部は、前記送信する無線信号に、受信すべき送信機を識別し、前記通過情報を累計するために識別される、当該送信機の識別情報を付加して送信することを特徴とする請求項６に記載のワイヤレスカウンタにおける送信機。
【請求項８】
前記送信部は、前記通過情報を計数する受信すべき受信機が受信可能な予め定めた周波数チャンネルで前記無線信号を送信することを特徴とする請求項６又は７に記載のワイヤレスカウンタにおける送信機。
【請求項９】
物体の通過を検知した通過情報を無線で送信する送信機からの無線信号を受信する受信機であって、
前記送信機から送信された無線信号を受信し、受信した無線信号の通過情報を検出する受信部と、前記受信部で検出された通過情報を計数する計数部と、前記計数部により計数された計数情報を出力する出力部と、
を備えることを特徴とするワイヤレスカウンタにおける受信機。
【請求項１０】
前記受信部は、予め登録されている識別情報と一致する、前記送信部から送信された前記識別情報が付加された無線信号を受信することを特徴とする請求項９に記載のワイヤレスカウンタにおける受信機。
【請求項１１】
前記受信部は、複数の送信機から送信された無線信号をそれぞれ受信し、複数の送信機から送信された無線信号の通過情報をそれぞれ検出し、
前記計数部は、前記受信部で検出された、前記受信部で受信された複数の送信機からそれぞれ送信されたすべての通過情報を累計し、
前記出力部は、前記計数部で累計された計数情報を出力することを特徴とする請求項９または１０に記載のワイヤレスカウンタにおける受信機。
【請求項１２】
前記受信部は、前記送信機の識別情報を登録する登録手段と、前記送信部から送信された前記識別情報が付加された無線信号を受信し、前記登録手段に登録されている識別情報と一致する識別情報が付加された無線信号を判別する判別手段と、前記判別手段により判別された無線信号を前記出力部に送出する送出手段とを備えすることを特徴とする請求項９ないし１１のいずれかに記載のワイヤレスカウンタにおける受信機。
【請求項１３】
前記受信部は、予め定められた周波数チャンネルで送信された前記無線信号を受信し、前記予め定められた周波数チャンネル以外の他の周波数チャンネルで送信された無線信号を受信しないことを特徴とする請求項９ないし１２のいずれかに記載のワイヤレスカウンタにおける受信機。
【請求項１４】
光を受光して信号を検出する光センサ部と、前記光センサ部で検出された信号を入力する入力部を備え、
前記計数部は、前記受信部で受信された複数の送信機からそれぞれ送信されたすべての通過情報と、前記入力部に入力された信号に基づく通過情報とを累計し、累計された計数情報を出力することを特徴とする請求項９ないし１３のいずれかに記載のワイヤレスカウンタにおける受信機。
【請求項１５】
前記計数部は、予め定めた時間内に受信した、前記受信部で受信された複数の送信機からそれぞれ送信されたすべての通過情報を、累計し、累計された計数情報を出力することを特徴とする請求項９ないし１４のいずれかに記載のワイヤレスカウンタにおける受信機。
【考案の詳細な説明】
【技術分野】
【０００１】
本考案は、ワイヤレスカウンタに係り、詳しくは、通過人数等を自動的に計測し、計測信号を無線で送信し、離れた地点にある受信機で計測信号を受信してカウントし、計数値を表示できる技術に関する。
【背景技術】
【０００２】
従来のカウンタは、通過人数等を自動的に計測し、計測信号をカウントし、計数値を表示するものがある（例えば、特許文献１参照）。
【０００３】
また、通過物品の数を自動的に計測し、計測信号をカウントするものもある（例えば、特許文献２参照）。
【先行技術文献】
【特許文献】
【０００４】
【特許文献１】特許第４２２５４６９号公報
【特許文献２】特開平０３−２４２７８３号公報
【考案の概要】
【考案が解決しようとする課題】
【０００５】
しかしながら、特許文献１又は２にあっては、計測部と表示部とが一体となっているため、計測しているカウンタの表示部でしか、計数値を確認することができない。
【０００６】
このため、計数値を確認するためには、計測しているカウンタのある場所まで、わざわざ行かなければ確認できないという問題がある。
【０００７】
本考案は、このような問題点に着目してなされたもので、計測場所から離れた位置で計数値を確認することができるワイヤレスカウンタを提供することを目的とする。
【課題を解決するための手段】
【０００８】
本考案の請求項１に記載のワイヤレスカウンタは、
光を受光して信号を検出する光センサ部と、前記光センサ部で検出された信号に基づいて物体の通過を検知する検知部と、前記検知部により検知された通過情報を無線信号で送信する送信部とを備える送信機と、
前記送信部から送信された無線信号を受信し、受信した無線信号の通過情報を検出する受信部と、前記受信部で検出された通過情報に基づいて計数する計数部と、前記計数部により計数された計数情報を出力する出力部とを備える受信機と、
を有することを特徴としている。
【０００９】
また、本考案の請求項６に記載のワイヤレスカウンタにおける送信機は、
物体の通過を検知した通過情報に基づいて計数出力する受信機に対して無線信号を送信する送信機であって、
光を受光して信号を検出する光センサからの入力を受け付けるセンサ入力部と、前記センサ入力部で入力された信号に基づいて物体の通過を検知する検知部と、前記検知部により検知された通過情報を無線信号で送信する送信部と、
を備えることを特徴とする。
【００１０】
また、本考案の請求項９に記載のワイヤレスカウンタにおける受信機は、
物体の通過を検知した通過情報を無線で送信する送信機からの無線信号を受信する受信機であって、
前記送信機から送信された無線信号を受信し、受信した無線信号の通過情報を検出する受信部と、前記受信部で検出された通過情報を計数する計数部と、前記計数部により計数された計数情報を出力する出力部と、
を備えることを特徴とする。
この特徴によれば、送信機では、光センサ部で光を受光して信号を検出し、検知部で、前記光センサ部で検出された信号に基づいて物体の通過を検知し、送信部は、前記検知部により検知された通過情報を無線信号で送信する。また、受信機では、受信部で、送信部から送信された無線信号を受信し、受信した無線信号の通過情報を検出し、計数部は、前記受信部で検出された通過情報に基づいて計数し、出力部は、前記計数部により計数された計数情報を出力することができる。
【００１１】
これにより、送信機で物体の通過を検知し、検知された通過情報を無線信号で送信し、受信機で受信した無線信号の通過情報に基づいて計数し、計数した計数情報を出力するワイヤレスカウンタを構成するので、計測場所から離れた位置で計数値を確認することができる。送信機と受信機とを無線で送受信するので、ケーブル等を引き回すことなく、離れた位置にそれぞれを設置することができる。送信機は、人や物などの物体が通過する光をとらえて検出するので、このワイヤレスカウンタの送信機を計測場所に設置し、受信機は離れた場所に設置することにより人手を要せず正確に通過する人数等を計数して計数値を確認でき、人件費の大幅なコストダウンが期待できる。また、受信機の出力部としては、表示出力部や、パーソナルコンピュータなどに接続可能な外部出力部を設けるようにできる。また、検知された通過情報を無線信号でそのまま送信するため、送信機側には、カウンタ等の余分な回路を搭載しないため、回路規模をより小さくすることができ、より簡単な構成にでき、また、消費電力をより少なくすることができる。消費電力が小さいので、例えば、乾電池等の電源だけで駆動させることができ、商用電源等のコンセントに接続する必要がない。従って、送信機をどこでも設置でき、どこにでも自由に持ち運び設置できる。
【００１２】
本考案の請求項２に記載のワイヤレスカウンタは、
前記送信部は、前記送信する無線信号に、当該送信機の識別情報を付加して送信し、
前記受信部は、予め登録されている識別情報と一致する、前記送信部から送信された前記識別情報が付加された無線信号を受信することを特徴とする。
【００１３】
また、本考案の請求項７に記載のワイヤレスカウンタにおける送信機は、
前記送信部は、前記送信する無線信号に、受信すべき送信機を識別し、前記通過情報を累計するために識別される、当該送信機の識別情報を付加して送信することを特徴とする。
【００１４】
また、本考案の請求項１０に記載のワイヤレスカウンタにおける受信機は、
前記受信部は、予め登録されている識別情報と一致する、前記送信部から送信された前記識別情報が付加された無線信号を受信することを特徴とする。
この特徴によれば、受信部は、予め登録されている識別情報と一致する、前記送信部から送信された前記識別情報が付加された無線信号を受信し、予め登録されている識別情報と一致しないような、他の送信機から送信される無線信号を受信することがないので、複数の送信機が混在するような場合にも、計数する通過情報を送信する送信機を識別情報により選択することができる。
【００１５】
本考案の請求項３に記載のワイヤレスカウンタは、
前記受信部は、複数の送信機から送信された無線信号をそれぞれ受信し、複数の送信機から送信された無線信号の通過情報をそれぞれ検出し、
前記計数部は、前記受信部で検出された、複数の送信機からそれぞれ送信されたすべての通過情報を累計し、
前記出力部は、前記計数部で累計された計数情報を出力することを特徴とする。
【００１６】
また、本考案の請求項１１に記載のワイヤレスカウンタにおける受信機は、
前記受信部は、複数の送信機から送信された無線信号をそれぞれ受信し、複数の送信機から送信された無線信号の通過情報をそれぞれ検出し、
前記計数部は、前記受信部で検出された、前記受信部で受信された複数の送信機からそれぞれ送信されたすべての通過情報を累計し、
前記出力部は、前記計数部で累計された計数情報を出力することを特徴とする。
この特徴によれば、受信機では、複数の送信機からそれぞれ送信されたすべての通過情報を累計して計数情報を出力するため、複数の送信機を、いろいろな場所に設置して、それぞれの送信機で検出した通過情報をまとめて、これらの合計を累計値として出力することができる。
【００１７】
本考案の請求項４に記載のワイヤレスカウンタは、
前記送信機を、複数有し、
前記複数の送信機の各送信部は、前記送信する無線信号に、当該送信機の識別情報を付加して送信し、
前記受信部は、前記送信機の前記識別情報を登録する登録手段と、前記送信部から送信された前記識別情報が付加された無線信号を受信し、前記登録手段に登録されている識別情報と一致する識別情報が付加された無線信号を判別する判別手段と、前記判別手段により判別された無線信号の通過情報を検出して送出する送出手段とを備えることを特徴とする。
【００１８】
また、本考案の請求項１２に記載のワイヤレスカウンタにおける受信機は、
前記受信部は、前記送信機の識別情報を登録する登録手段と、前記送信部から送信された前記識別情報が付加された無線信号を受信し、前記登録手段に登録されている識別情報と一致する識別情報が付加された無線信号を判別する判別手段と、前記判別手段により判別された無線信号を前記出力部に送出する送出手段とを備えすることを特徴とする。
この特徴によれば、まず、受信部では、登録手段で、前記送信機の前記識別情報を予め登録しておく。受信時に、判別手段で、前記送信部から送信された前記識別情報が付加された無線信号を受信し、前記登録手段に登録されている識別情報と一致する識別情報が付加された無線信号を判別し、送出手段で前記判別手段により判別された無線信号の通過情報を検出して送出する。これにより、登録手段に予め登録されている識別情報と一致する識別情報が付加された無線信号の通過情報を検出するので、予め登録されている識別情報と一致しないような、他の送信機から送信される無線信号を受信することがないので、複数の送信機が混在するような場合にも、計数する通過情報を送信する送信機を識別情報により選択することができる。また、登録手段で、送信機の識別情報を予め登録しておくことにより、受信機で受信する複数の送信機をグループ化しておくことができる。また、受信機では、受信した送信機からの通過情報の累計値を出力することで、グループ化した送信機についての通過情報の累計値を出力することができる。
【００１９】
本考案の請求項５に記載のワイヤレスカウンタは、
前記送信部は、予め定められた周波数チャンネルで前記無線信号を送信し、
前記受信部は、前記周波数チャンネルで送信された前記無線信号を受信し、前記予め定められた周波数チャンネル以外の他の周波数チャンネルで送信された無線信号を受信しないことを特徴とする。
【００２０】
また、本考案の請求項８に記載のワイヤレスカウンタにおける送信機は、
前記送信部は、前記通過情報を計数する受信すべき受信機が受信可能な予め定めた周波数チャンネルで前記無線信号を送信することを特徴とする。
【００２１】
また、本考案の請求項１３に記載のワイヤレスカウンタにおける受信機は、
前記受信部は、予め定められた周波数チャンネルで送信された前記無線信号を受信し、前記予め定められた周波数チャンネル以外の他の周波数チャンネルで送信された無線信号を受信しないことを特徴とする。
この特徴によれば、予め定められた周波数チャンネルで送受信を行うので、例えば、複数の送信機が混在する場合には、予め定められた周波数チャンネル以外の他の周波数チャンネルで送信された無線信号を受信しないので、混信を防ぐことができる。周波数チャンネルを予め定めておくので、受信機で受信する複数の送信機をグループ化しておくことができる。また、周波数チャンネルと、送信機の識別情報とを、予め登録しておくような場合には、周波数チャンネルと、送信機の識別情報との両方で、受信すべき送信機を判別できるので、より正確に受信すべき送信機を認識することができる。
【００２２】
本考案の請求項１４に記載のワイヤレスカウンタにおける受信機は、
光を受光して信号を検出する光センサ部と、前記光センサ部で検出された信号を入力する入力部を備え、
前記計数部は、前記受信部で受信された複数の送信機からそれぞれ送信されたすべての通過情報と、前記入力部に入力された信号に基づく通過情報とを累計し、累計された計数情報を出力することを特徴とする。
この特徴によれば、受信機では、送信機から送信される通過情報だけでなく、自己の受信機においても光センサ部と、入力部とを備えて、通過情報を入力することができる。さらに、計数部は、前記受信部で受信された複数の送信機からそれぞれ送信されたすべての通過情報と、前記入力部に入力された信号に基づく通過情報とを累計し、累計された計数情報を出力することができる。
【００２３】
本考案の請求項１５に記載のワイヤレスカウンタにおける受信機は、
前記計数部は、予め定めた時間内に受信した、前記受信部で受信された複数の送信機からそれぞれ送信されたすべての通過情報を、累計し、累計された計数情報を出力することを特徴とする。これにより、予め定めた時間ごとに、通過情報の累計値である計数情報を出力することができる。
【図面の簡単な説明】
【００２４】
【図１】実施例１におけるワイヤレスカウンタの送信機と受信機を示す説明図である。
【図２】実施例１におけるワイヤレスカウンタの送信機を示す図である。
【図３】実施例１におけるワイヤレスカウンタの受信機を示す図である。
【図４】実施例１におけるワイヤレスカウンタのセンサ部を示す図ある。
【図５】実施例１におけるワイヤレスカウンタの送信機のブロック図である。
【図６】実施例１におけるワイヤレスカウンタの受信機のブロック図である。
【図７】実施例１におけるワイヤレスカウンタの受信機の登録部の説明図である。
【図８】実施例１におけるワイヤレスカウンタの送信機と受信機との接続関係を示す説明図である。
【図９】実施例１におけるＰＣ画面上の説明図である。
【考案を実施するための形態】
【００２５】
本考案に係るワイヤレスカウンタを実施するための形態を実施例に基づいて以下に説明する。
【実施例１】
【００２６】
実施例１に係るワイヤレスカウンタにつき、図１から図９を参照して説明する。以下、図１に、実施例１におけるワイヤレスカウンタの送信機と受信機を示す。
【００２７】
図１において、符号１００は、本考案におけるワイヤレスカウンタの送信機を示し、符号２００は、本考案におけるワイヤレスカウンタの受信機を示し、符号３００は、受信機２００から送信されるデータをパーソナルコンピュータ（以下、ＰＣという）４００に出力するためのデータロガーを示す。
【００２８】
実施例１においては、送信機１００で検知した物体の通過情報を無線信号で、受信機２００に送信し、受信機２００側で受信した通過情報を計数し、計数した計数情報を表示出力または外部へ出力することができるワイヤレスカウンタを構成している。
【００２９】
送信機１００は、後述するように、物体から放射される光を受光して信号を検出する光センサ部で検出された信号に基づいて物体の通過を検知し、検知された通過情報を無線信号で送信する。送信機１００は、１台または複数台備えることができ、図１においては、それぞれ送信機１００ａ、送信機１００ｂ、送信機１００ｃ・・で示している。受信機２００は、後述するように、送信機からの無線信号を無線で受信し、無線で受信した無線信号の通過情報に基づいて計数し、計数した計数情報を出力する。送信機１００は、例えば、１台の受信機２００に対して２０台まで設けることができる。また、それぞれの送信機には、それらを識別するための識別情報（送信機ＩＤ）が予め付加され、後述するように、送信機は、受信機への登録時と送信時に送信機ＩＤを付加して送信するようにしてもよい。また、送信機１００と、受信機２００とは、無線で送受信するために、送信周波数及び受信周波数を予め定めておき、予め定められた周波数で送受信が行われる。
【００３０】
受信機２００においては、予め送信機ＩＤを登録しておくことにより、登録されている送信機ＩＤが付加された無線信号だけを受信するように設定することができる。これにより、送信機ＩＤを識別して受信することが可能となる。受信機２００は、登録されている周波数チャンネルで受信し、また、登録されている送信機ＩＤが付加された無線信号だけを受信することで、受信した送信機１００からの無線信号の通過情報に基づいて計数し、計数した計数情報を出力する。この場合、複数の送信機ＩＤが登録されている場合には、登録されているすべての送信機１００から送信されたすべての通過情報を累計し、累計した計数情報を表示部に表示出力し、また、通過情報を含んだシリアルデータを外部に出力することができる。これにより、受信機２００に登録されているすべての送信機１００で検知された通過情報の累計値を表示出力することができる。
【００３１】
さらに、受信機２００は、複数備えるようにしてもよい。この場合には、受信機２００ごとに、周波数チャンネルを異ならせることで、受信すべき送信機１００を異ならせることができる。また、複数の受信機２００を同一周波数チャンネルで使用する場合には、受信すべき送信機１００の送信機ＩＤを登録しておくことで、登録されている送信機ＩＤの送信機１００からの無線信号を受信することができる。
【００３２】
データロガー３００は、後述するように、受信機２００から出力される通過情報のパルスを継続的に保存し、計数する機能を備え、ＰＣ４００から指示されたときに計数値をシリアルデータにして転送出力することができる。
【００３３】
ＰＣ４００には、所定の計数表示用のアプリケーションプログラムが記憶手段に記憶されており、この計数表示用のアプリケーションプログラムを実行することで、ワイヤレスカウンタから出力された通過情報を、データロガー３００を介して計数し、表示することができる。計数表示用のアプリケーションプログラムは、記録開始の指示を受け付けると、データロガー３００に対して、シリアルデータの転送出力開始を指示し、シリアルデータを受信して予め定められた記録時間ごとに、受信したシリアルデータに基づいて、計数値を表示出力する処理を行う。例えば、登録されている受信機２００ごとに、計数値の累計を表示することができる。
【００３４】
つぎに、送信機１００の構成を図２および図５を参照して説明する。図２に、実施例１におけるワイヤレスカウンタの送信機の外観図を示している。図２（ａ）は本考案に係る送信機の正面図、図２（ｂ）は平面図、図２（ｃ）は側面図、図２（ｄ）は底面図であり、図５は本考案に係る送信機１００の内部のブロック図を示している。
【００３５】
図２（ａ）〜（ｄ）において、送信機１００の外観としては、光センサからの入力を受け付けるセンサ入力部１０１と、光センサの感度を調節する感度調節部１０２と、直流電源を入力する外部電源入力部１０３と、電源をＯＮ／ＯＦＦするための電源スイッチ１０４と、無線信号を送受信するアンテナ１０５と、電源スイッチがＯＮのときに点灯する緑色ＬＥＤ１０６と、送信しているときに点滅する赤色ＬＥＤ１０７と、送信機１００本体の底部であり、乾電池１１１を装着できる装着部１０８を備える底部１０９とを備えている。
【００３６】
図５に示すように、送信機１００本体の内部構成としては、光を受光して信号を検出する光センサからの信号の入力を受け付けるセンサ入力部１０１と、センサ入力部１０１で入力された信号に基づいて物体の通過を検知する検知部１２０と、検知部１２０により検知された通過情報を無線信号で送信する送信部１１９とを少なくとも備え、これらは、電源スイッチ１０４を介して安定化電源１１０または外部電源入力部１０３に接続されて、電源供給される。センサ入力部１０１には、光を受光して信号を検出するための光センサ１２３を備える光センサ部１２４が接続される。送信機１００は、送信しているときに点滅する表示手段である赤色ＬＥＤ１０７と、電源スイッチがＯＮされたことを示すための表示手段である緑色ＬＥＤ１０６をさらに備えることができる。
【００３７】
また、送信機１００には、検知部１２０により検知された通過情報を計数する計数部１４１およびその計数部１４１で計数された計数値を表示出力するカウンタ表示部１４２と、検知部１２０により検知された通過情報を外部に出力する外部出力部１４５とをさらに備えるようにしてもよい。本実施例においては、計数情報を出力するカウンタ表示部１４２が、請求項における出力部として機能しているが、外部出力部１４５が、通過情報を外部に出力する代わりに、計数情報を外部に出力する出力部としてもよい。また、出力部としては、表示出力部、外部出力部の他、計数情報を音声出力する音声出力部などを設けることができる。
【００３８】
つぎに、送信機１００の各ブロックの機能を詳述する。
【００３９】
図５に示す光センサ部１２４は、光を受光して信号を検出するための光センサを内部に備えている。図４に、光センサ部１２４の外観図を示すように、光センサ部１２４は、内部に光センサ１２３を備える光センサケース１３０と、その光センサ１２３で検出された信号を送信機に入力するための接続線である接続ケーブル１３５とを有する。
【００４０】
光センサケース１３０には、所定箇所に光を受光するための受光窓１４０を備え、受光窓１４０の内部近傍であって、光センサケース１３０の内部には、受光を電気信号に変換するための光センサ１２３を備える。光センサ１２３としては、例えば、Ｃｄｓ（硫化カドミウムセル）などの赤外線センサを利用することができる。この赤外線は、温度をもつ物体すべてから、その温度に応じた波長分布をもって、自然に放射されるという特徴をもっているので、通過する物体から放射される赤外線を、光センサ１２３で検出することで送信機１００内部の検知部１２０で物体の通過を検知することができる。また、光センサ１２３の感度調節を、感度調節部１０２の調節により行うことができる。感度調節部１０２のダイヤルの回動により感度を自由に調整することができる。受光窓１４０は、光センサケース１３０において、光を受光しやすい所に設けられる。光センサケース１３０内に光センサ１２３を内蔵することで、防塵性、防水性に優れた光センサ部を構成することができる。さらに、受光窓１４０と光センサ１２３近傍には、光センサ１２３の受光量を調整するための合成樹脂製またはセロハン等の紙製のフィルターを、取外し自在または接着剤等により固定して取付けることも可能である。
【００４１】
接続ケーブル１３５は、光センサケース１３０側に接続される接続端子の光センサ側ジャック１３１と、送信機１００側に接続される接続端子の送信機側ジャック１３２と、これらのジャックを接続する接続線１３３とを備える。光センサ部１２４を光センサケース１３０と接続ケーブル１３５とで構成することで、送信機１００と、光センサ１２３で検出する位置とを離れた位置にすることができ、接続ケーブル１３５の長さを長くすることで、送信機１００と、光センサ１２３との距離を伸ばすことができる。
【００４２】
受光窓１４０を介して、赤外線を光センサ１２３で検出し、光センサ１２３で検出された信号は、接続ケーブル１３５を介して、送信機１００のセンサ入力部１０１に入力される。
【００４３】
図５において、センサ入力部１０１に入力された信号は、検知部１２０に入力され、検知部１２０において、光センサ１２３で検出された信号に基づいて物体の通過を検知する。
【００４４】
検知部１２０は、光センサ１２３で検出された信号を増幅する増幅部１１８と、増幅部１１８で増幅された信号に基づいて、信号の振幅の変化を検出する検出部１１３と、検出部１１３で検出した振幅の変化について、所定の検出時間に振幅の変化があったときに１回パルスを出力するワンショットタイマ部１１４と、ワンショットタイマ部１１４で出力された信号に基づいて後段の送信部１１９や赤色ＬＥＤ１０７等を点灯させるためのドライバ回路１１７とを備える。
【００４５】
光センサ１２３は、物体が通過すると、赤外領域の光をＣｄｓで検出して信号を出力し、検出された信号が増幅部１１８で増幅される。増幅された信号は、検出部１１３で、＋変化（暗→明の変化）と−変化（明→暗の変化）の振幅の変化を検出するとパルスを出力する。検出部１１３は、例えば、予め定めた電圧を基準電圧として、増幅された信号の電圧と基準電圧とを比較することで、振幅の変化を検出できる。
【００４６】
ワンショットタイマ部１１４は、１回の検出時間を例えば１秒に設定すると、１秒の間に、振幅の変化による検出されたパルスが少なくとも一回あると、一回のみパルスをドライバ回路１１７に送信することで、物体の通過を検出した通過情報としてパルスを出力することができる。または、ワンショットタイマ部１１４は、検出時間を例えば２００ｍｓに設定し、振幅の変化による検出されたパルスが一回あると、検出時間の２００ｍｓの間オンとなるような１つのパルスを出力し、その後振幅の変化により次のパルスを検出して出力するようにしてもよい。ワンショットタイマ部１１４は、検出時間を設定できるようにしてもよい。検出時間を変えることで検出の精度を変えることができる。
【００４７】
ドライバ回路１１７は、ワンショットタイマ部１１４から出力された信号に従って、後段の回路を駆動させる。ワンショットタイマ部１１４から出力された信号に従って、例えば赤色ＬＥＤ１０７を点灯／点滅させ、また、送信部１１９に、ワンショットタイマ部１１４から出力された信号を出力する。
【００４８】
送信部１１９は、ワンショットタイマ部１１４から出力された通過情報のパルス信号を、ドライバ回路１１７を介して入力し、所定の変調方式に従って所定の周波数で変調して、無線でアンテナ１０５から送信出力する。送信部における送信する信号を、通過情報のパルス信号とすることで、計数手段等を設ける必要がないので、送信部における構成をより簡素化し、軽量化を図ることができる。また、消費電力が少なくすることができるので、電池による駆動が可能となる。
【００４９】
送信部１１９における動作は、受信機２００の受信部２１９の動作とともに後述する。
【００５０】
乾電池１１１からなる安定化電源１１０は、電源スイッチ１０４を介して各ブロックに接続されているので、電源スイッチ１０４をオンすることにより各ブロックの回路が作動し、光センサ１２３が人物等の動きを光量の変化としてとらえる作動状態となる。乾電池で駆動させることで、外部電源を必要としないので設置場所を屋外などとすることができ、持ち運びが容易となる。また、安定化電源１１０の代わりに、外部電源入力部１０３に外部電源を接続させ、外部から電源供給することにより、使用時間が長い場合にも対応することができ、電池切れを気にする必要がない。
【００５１】
さらに、送信機１００は、ドライバ回路１１７の後段に、計数部１４１及びカウンタ表示部１４２を備えるようにしてもよい。この場合、計数部１４１はドライバ回路１１７を介して、ワンショットタイマ部１１４から出力された通過情報のパルス信号をカウントしていき、計数値が、カウンタ表示部１４２に表示される。この場合、計数部１４１及びカウンタ表示部１４２のリセットを指示するリセットボタンをさらに設けることができる。これにより、受信機側のみならず、送信機においても計数値を確認することができる。さらに、受信機側で累計値を表示出力する場合には、各送信機における計数値をそれぞれ確認することができる。
【００５２】
また、検知部１２０により検知された通過情報のパルス信号又は計数情報を外部に出力する外部出力部１４５をさらに備えるようにしてもよい。この場合、送信部１１９からの送信と同時に、有線にて、検知部１２０により検知された通過情報のパルス信号又は計数情報を外部に直接出力することができる。
【００５３】
送信機１００における計数部１４１、カウンタ表示部１４２、リセットボタン、外部出力部１４５の構成は、後述する図３に示す受信機２００における計数部２１８、カウンタ表示部２０８、リセットボタン２０９、外部出力部２０２の構成と同様にしておくことができる。
【００５４】
つぎに、受信機２００の構成を図３および図６を参照して説明する。図３に、実施例１におけるワイヤレスカウンタの受信機の外観図を示している。図３（ａ）は本考案に係る受信機の正面図、図３（ｂ）は平面図、図３（ｃ）は側面図、図３（ｄ）はカウンタ表示部の角度を変えた場合の側面図であり、図６は本考案に係る受信機２００の内部のブロック図を示している。
【００５５】
図３（ａ）〜（ｄ）において、受信機２００の外観としては、直流電源を入力する外部電源入力部２０３と、電源をＯＮ／ＯＦＦするための電源スイッチ２０４と、無線信号を送受信するアンテナ２０５と、電源スイッチがＯＮのときに点灯する表示手段である緑色ＬＥＤ２０６と、送信しているときに点滅する表示手段である赤色ＬＥＤ２０７と、通過情報を計数した計数値を表示するカウンタ表示部２０８と、カウンタ表示部２０８及び計数部にリセットを指示するためのリセットボタン２０９と、通過情報又は計数情報を外部に対して出力する外部出力部２０２を備えている。また、カウンタ表示部２０８は、回動軸２１０を中心軸として、カウンタ表示部２０８を回動させることができ、カウンタ表示部２０８の表示部分が見やすいように、表示部分を前方上方に向けた位置に傾けることができる。
【００５６】
図６に示すように、受信機２００本体の内部構成としては、送信機１００の送信部１１９から送信された通過情報の無線信号を、アンテナ２０５を介して受信する受信部２１９と、受信部２１９で受信した通過情報の無線信号のパルスに基づいて、後段の計数部２１８等を駆動させるためのドライバ回路２２０と、ドライバ回路２２０により駆動され、通過情報のパルスを計数する計数部２１８、計数部２１８で計数された計数値を表示するカウンタ表示部２０８とを少なくとも備え、これらは、電源スイッチ２０４を介して安定化電源２１０または外部から電源供給される外部電源入力部２２５に接続されて、電源供給される。また、通過情報のパルスを外部に出力する外部出力部２０２をさらに備えることができる。受信機２００は、受信しているときに点滅する表示手段である赤色ＬＥＤ２０７と、電源スイッチ２０４がＯＮされたことを示すための表示手段である緑色ＬＥＤ２０６をさらに備えることができる。
【００５７】
また、登録部２３０を設けておき、登録された周波数で送受信が行われるように、予め受信すべき無線信号の周波数を登録しておくことができる。また、登録部２３０には、受信すべき送信機の送信機ＩＤを登録しておいてもよい。これにより、受信機においては受信すべき無線信号を、無線信号の周波数および／または送信機ＩＤで選択することができる。
【００５８】
さらに、受信機２００には、受信のみならず、受信機において通過情報を検出することが可能なように、光センサからの入力を受け付けるセンサ入力部と、センサ入力部で入力された信号に基づいて物体の通過を検知する検知部と、光センサの感度を調節する感度調節部とを設けるようにしてもよい。この場合、センサ入力部、検知部および感度調節部は、送信機側のセンサ入力部１０１、検知部１２０及び感度調節部１０２と同じ構成とすることができ、また、光センサで検出した通過情報と、受信部で受信した通過情報とを、累計し、計数部２１８で累計を計数するようにしてもよい。
【００５９】
つぎに、受信機２００の各ブロックの機能を詳述する。
【００６０】
図６に示す受信部２１９は、アンテナ２０５を介して無線信号を受信し、所定の変調方式に従って所定の周波数で復調し、パルス信号を検出する。検出されたパルス信号は、ドライバ回路２２０に入力される。受信部において受信すべき信号は、予め登録部２３０により登録されており、無線信号の周波数や送信機ＩＤにより、受信すべき無線信号を選択して受信する。登録部２３０は、受信部２１９に設けてもよい。この場合、受信部は、送信機送信機ＩＤを登録する登録部２３０と、送信機１００の送信部１１９から送信された送信機ＩＤが付加された無線信号を受信し、登録部２３０に登録されている識別情報と一致する識別情報が付加された無線信号を判別する判別手段と、前記判別手段により判別された無線信号の通過情報を検出して送出する送出手段とを備える。
【００６１】
判別手段は、送信機１００の送信部１１９から送信された送信機ＩＤが付加された無線信号を受信し、登録部２３０に登録されている識別情報と一致する識別情報が付加された無線信号を判別する。送出手段は、判別手段により判別された無線信号の通過情報を検出して計数機２１８に送出する。
【００６２】
また、後段で必要であれば、受信部２１９に受信信号を増幅する増幅回路を設けてもよい。さらに、受信部２１９は、送信部におけるワンショットタイマ部１１４のような機能を備えておき、受信信号に対して、検出時間内におけるパルスが少なくとも一回あると、一回のみパルスをドライバ回路２２０に送信するようにしてもよい。
【００６３】
計数部２１８は、ドライバ回路２２０を介して、受信部２１９で受信された受信信号の通過情報のパルスに基づいて、カウントしていき、計数値が、カウンタ表示部２０８に表示される。また、複数の送信機を備える場合には、すべての送信機から送信される通過情報を、計数部２１８において計数し、累計値をカウンタ表示部２０８に表示するようにしてもよい。この場合、同時に複数の送信機から信号が送信されたときに、それぞれの信号から通過情報が検出できるようにするために、送信信号を保持または記憶する保持／記憶回路をさらに設けてもよい。また、それぞれの送信機から送信され、検出された通過情報についても、保持または記憶する保持／記憶回路を設けてもよい。この保持／記憶回路を設けることにより、同時に複数の送信機から信号が送信されたときや、信号が連続して送信されたときなどに、確実に計数が行えるように処理できる。
【００６４】
また、計数部２１８及びカウンタ表示部２０８のリセットを指示するリセットボタン２０９を設けておき、計数値をリセットすることができる。
【００６５】
また、ドライバ回路２２０より出力されるすべての通過情報のパルス信号を外部に出力する外部出力部２０２をさらに備えるようにしてもよい。この場合、外部出力部２０２から出力されるパルス信号を、データロガー３００で保持し、後段のＰＣ４００で計数値を集計することができる。
【００６６】
また、赤色ＬＥＤ２０７は、受信部２１９で受信した無線信号に従って、点灯／点滅する。赤色ＬＥＤ２０７は、受信部２１９により直接駆動される場合には、ドライバ回路２２０を介さずに受信部２１９に接続するようにしてもよい。
【００６７】
安定化電源２１０は、電源スイッチ２０４を介して各ブロックに接続されているので、電源スイッチ２０４をオンすることにより各ブロックの回路が作動し、受信した無線信号の通過情報に従って、計数値を表示することができる。乾電池などの安定化電源２１０で駆動させる代わりに、外部電源入力部２２５に外部電源を接続させ、外部から電源供給するようにしてもよい。
【００６８】
このようにして、受信機２００では、送信機１００から送信させる無線信号の通過情報のパルスを計数して表示することができる。
【００６９】
つぎに、送信機１００における送信部１１９と、受信機２００における受信部２１９との無線信号の送受信方法について説明する。
【００７０】
送信部１１９と受信部２１９との通信方式としては、単方向通信方式、双方向通信方式いずれでもよく、変調方式も予め規定しておけば、どのような変調方式でも利用できる。送信周波数及び受信周波数は、予め定めておくことができるが、予め定めた複数の周波数チャンネルで送受信が可能なようにしてもよい。例えば、四つの使用可能な周波数チャンネルを備える場合、いずれかのチャンネルを、送信機１００と受信機１００とに予め登録しておくことにより、登録された周波数で送受信が行われるようにしてもよい。１回の送信時間は、例えば、１００ｍｓｅｃなどのように、予め定めた送信時間としておく。1回の送信で、前回の送信から今回の送信までに検出したすべての通過情報のパルス信号を予め定めた変調方式で、予め登録された周波数で変調して送信する。送信機１００の送信部１１９においても、登録部を設けておき、送信周波数、送信機ＩＤ等を予め登録しておいてもよい。
【００７１】
また、受信機２００において、受信周波数、受信すべき送信機ＩＤを、予め登録部２３０に登録しておくことにより、登録されている受信周波数と、登録されている送信機ＩＤが付加された無線信号だけを受信機２００で受信するように判別できる。
【００７２】
なお、無線で送受信する場合、送信部および受信部は、電波法により規定されている標準規格である「ＡＲＩＢ  ＳＴＤ−Ｔ９３」に適合した特定小電力無線機器で技術基準適合証明を取得しておくことが望ましい。
【００７３】
つぎに、登録部２３０により設定される登録内容と、送信機１００と受信機２００との接続関係を、図７および図８を参照して説明する。
【００７４】
図７（ａ）、（ｂ）に、実施例１におけるワイヤレスカウンタの受信機の登録部の説明図を示し、図８（ａ）、（ｂ）に、実施例１におけるワイヤレスカウンタの送信機と受信機との接続関係を示している。図７（ａ）に示す登録内容の場合の接続関係を図８（ａ）に示し、図７（ｂ）に示す登録内容の場合の接続関係を図８（ｂ）に示す。
【００７５】
図７（ａ）および図８（ａ）には、受信機２００ａおよび受信機２００ｂと、送信機１００ａ〜１００ｅがある場合を示している。この場合、すべての送信機および受信機は、同一の周波数チャンネルＣＨ１で送受信を行うように登録されている。周波数チャンネルの選択は、例えば、四つの周波数チャンネルを使用可能であれば、いずれかの周波数チャンネルで送受信を行うように選択するために、ディップスイッチを２つ設けておき、予め定めたディップスイッチのオン／オフの組み合わせの選択で、四つのうちのいずれかの周波数チャンネルが選択されて、登録されるようにしておくことができる。
【００７６】
また、図７（ａ）に示すように、受信機２００ａの登録部２３０には、送信機１００ａ〜１００ｃの送信機ＩＤが登録されている。また、受信機２００ｂの登録部２３０には、送信機１００ｃ、１００ｄ、１００ｅの送信機ＩＤが登録されている。登録方法としては、例えば、受信機を登録モードに設定し、登録モードにおいて、送信機１００から送信機ＩＤが付与された登録用の信号を送信することで、受信機の登録部２３０に送信機ＩＤを登録しておくようにできる。または、受信機を登録モードに設定し、予め定めたディップスイッチのオン／オフの組み合わせの選択で、受信すべき送信機ＩＤを、順次入力して、登録しておくようにしてもよい。
【００７７】
図７（ａ）および図８（ａ）に示すような場合には、すべての送信機および受信機は、同一の周波数チャンネルＣＨ１で送受信を行っているので、受信機２００の受信部２１９では、受信時に、登録部２３０に登録されている送信機ＩＤが付加された無線信号を判別し、判別された無線信号の通過情報を検出してドライバ回路２２０に送出する。これにより、受信機では、受信すべき送信機を送信機ＩＤにより判別することができ、登録されている送信機をグループ化することができ、受信したすべての送信機についての通過情報を累計することができる。また、登録部に受信すべき送信機ＩＤを登録しておくことで、複数の送信機、複数の受信機が混在するような場合にも、通過情報を累計する送信機および受信機をグループ化しておくことができる。この場合、送信機１００ｃは、受信機２００ａと受信機２００ｂとに登録されているので、両方の受信機において、通過情報が受信され、それぞれ累計値を求めることができる。
【００７８】
また、図７（ｂ）および図８（ｂ）には、受信機２００ａおよび受信機２００ｂと、送信機１００ａ〜１００ｆがある場合を示している。この場合、受信機２００ａと、送信機１００ａ〜１００ｃとは、周波数チャンネルＣＨ１で送受信を行うように登録されており、受信機２００ｂと、送信機１００ｄ〜１００ｆとは、周波数チャンネルＣＨ２で送受信を行うように登録されている。この場合には、周波数チャンネルを異ならせるのみで、送信機ＩＤを判別する必要がなく、受信すべき送信機を選択することができる。送受信する周波数チャンネルを登録しておくことで、複数の送信機、複数の受信機が混在するような場合にも、通過情報を累計する送信機および受信機をグループ化しておくことができる。
【００７９】
この場合においても、登録部に受信すべき送信機ＩＤをさらに登録しておくようにしてもよい。これにより、受信すべき周波数チャンネルと、複数の受信機のそれぞれの登録部に受信すべき送信機ＩＤを登録しておくため、周波数チャンネルと、送信機ＩＤとの両方で、受信すべき送信機を判別できるので、より正確に受信すべき送信機を認識することができる。例えば、第三者が、同一の周波数チャンネルを使用して送受信しているような場合に、送信機ＩＤを判別して受信するので、誤って第三者から送信された無線信号を受信することがない。
【００８０】
つぎに、図９を参照して、データロガー３００およびＰＣ４００における機能を説明する。図９に、実施例１におけるＰＣ画面上の説明図を示す。
【００８１】
本実施例において、データロガー３００は、受信機２００から出力される通過情報のパルスを継続的に保存し、計数する機能を備えるユニバーサルカウンタである。例えば、ソフトウェアゲートカウンタの機能を備えることで、ＰＣ４００よりソフトウェアでカウンタゲートの開け閉めをして、ゲートが開かれたときに、通過情報のパルスカウントを行い、計数値をシリアルデータにして転送出力することができる。データロガー３００と、受信機２００とは、例えば、ＢＮＣコネクタなどの同軸ケーブルを利用して接続でき、通過情報のパルス信号が伝送され、データロガー３００の入力部より通過情報のパルス信号が入力される。ＰＣ４００とデータロガー３００とのインタフェースは、ＵＳＢなどの既存のインタフェースを利用して、ＰＣ４００とデータロガー３００とでデータの送受信を行うことができる。
【００８２】
また、データロガー３００は、複数の受信機２００からの通過情報のパルスをそれぞれ入力する入力部を複数備えることができ、各入力部から入力された通過情報のパルスをそれぞれ受信機ごとにカウントするようにしてもよい。この場合、ＰＣ４００には、各入力部を識別するための入力部ＩＤを付加した計数値をシリアルデータとして送信するようにしてもよい。入力部ＩＤと受信機を識別するための受信機ＩＤとの対応関係をＰＣ４００で設定できるようにしてもよい。
【００８３】
また、データロガー３００内部に備える精密クロックにより定周期でゲートの開け閉めをして通過情報のパルスカウントを行うようにしてもよい。周期を例えば１秒に設定すると１秒ごとの通過情報のパルスの計数値を出力することができる。さらに、複数の計数値を蓄積できるＦＩＦＯ（First In First Out）方式メモリを備えておくことで、定周期で計数した計数値を蓄積でき、更にこのＦＩＦＯ方式メモリに蓄積した計数値を、ＰＣ４００に取り込みながら測定することができる。
【００８４】
図９に示すように、ＰＣ４００では、記録開始ボタン９００がクリックされて指示されると、データロガー３００に対して、シリアルデータの転送出力開始を指示し、データロガー３００からのシリアルデータの計数値を受信し、記録終了ボタン９０１がクリックされて指示されると、データロガー３００に対して、シリアルデータの転送出力終了を指示する。記録時間は、記録時間設定部９０４に、予め設定しておくことができ、予め設定した記録時間ごとに、受信したシリアルデータに基づいて、計数値を表示出力する。例えば、登録されている受信機２００ごとに、計数値の記録時間ごとの計数値や累計値を表示することができる。図９においては、記録途中出力ボタン９０２がクリックされると、記録時間ごとの計数値表示部９０３に、記録開始からの経過時間に対応させて、１分ごとに、各受信機の計数値を表示出力する。また、記録開始から記録終了までの累計値を計数値累計表示部９０５に示している。図９において、記録時間ごとの計数値表示部９０３は、受信機２００ａについて、記録開始から１分までの計数値が２０、２分に対応する欄には、１分〜２分までの計数値が１１、３分に対応する欄には、２分〜３分までの計数値が１８、４分に対応する欄には、３分〜４分までの計数値が２１であることが示されている。また、計数値累計表示部９０５には、受信機２００ａの記録開始から現在までの累計値が７０であることが示されている。各受信機からの累計値は、前述したように、予めグループ化されて登録されている１又は複数の送信機で検出された通過情報の累計値である。リセットボタン９０８〜９１０がクリックされて指示されると、データロガー３００に対して、対応する受信機についての計数値のリセットを指示する。
【００８５】
ＰＣ４００には、上述したような計数値を表示するための所定の計数表示用のアプリケーションプログラムをインストールしておき、記憶手段に記憶させておく。この計数表示用のアプリケーションプログラムを実行することで、ワイヤレスカウンタの受信機２００から出力された通過情報を、データロガー３００を介して計数し、表示することができる。また、記録時間ごとの計数値や累計値は、ＰＣ４００内の記憶手段に記憶しておくことができるので、計数値等を後日編集し、受信機ごとに、日ごとの通過人数などをグラフに示したり、統計処理などの各種データ処理を実行したりすることができる。
【００８６】
このように、ＰＣ４００に、通過情報を又は計数情報を転送しておくことで、これらの情報に基づいて、各種のデータ処理を実行することができる。
【００８７】
本実施例によれば、送信機１００で物体の通過を検知し、検知された通過情報を無線信号で送信し、受信機２００で受信した無線信号の通過情報に基づいて計数し、計数した計数情報を表示出力するワイヤレスカウンタを構成するので、物体の通過を検知したい場所と、計数値を確認する場所とを、ケーブル等を引き回すことなく、離れた位置にすることができる。例えば、店の入り口や外に送信機１００を設置し、入り口を通過する人や、外を通過する人や通過車両等を送信機１００において検出し、受信機２００は、離れた場所の例えば事務所内部におくことで、検知場所の送信機１００まで出かける必要がなく、受信機２００の表示部により計数値を確認することができる。
【００８８】
また、送信機１００は、光センサ部と、検知部と、送信部とを備えることで、簡単に物体の通過を検出して通過情報を送信することができ、カウンタ等の余分な回路を搭載しないため、回路規模をより小さくすることができ、より簡単な構成にでき、また、消費電力を少なくすることができる。
【００８９】
複数の送信機を備える場合には、送信機を設置した、それぞれ異なる場所で計測を行えることができる。例えば、店の１階の入り口、２階の入り口に送信機１００をそれぞれ設置し、それぞれの入り口を通過する人を送信機１００においてそれぞれ検出し、受信機２００は、店の１階の入り口と、２階の入り口に設置されたそれぞれの送信機１００から送信される通過情報を、両方とも受信して、両方の通過情報の合計値を、累計値として計数情報を表示部に表示することができるので、店の１階の入り口と、２階の入り口に設置された送信機１００で検出された通過情報の累計値を受信機２００で確認することができる。
【００９０】
この場合、さらに多くの送信機を設け、それぞれ予め送信機をグループ化しておくことで、受信機ごとに通過情報を累計する送信機をグループとしてまとめておくことができる。前述したように、各受信機の登録部に受信すべき送信機の送信機ＩＤを登録しておくことでグループ化してもよいし、予め定めた周波数により、各グループで周波数を異ならせるようにしてもよい。それらを併用してもよい。これにより、グループごとに通過情報の累計値を求めることができる。
【００９１】
また、受信機では、予め定めた時間内に受信した、受信部で受信された複数の送信機からそれぞれ送信されたすべての通過情報を、累計し、累計された計数情報を出力するようにしてもよい。この場合、予め定めた時間間隔（予め定めた周期）で通過情報を累計して出力してもよいし、所定の開始時刻から終了時刻までに受信した通過情報を累計して出力してもよい。これにより、予め定めた時間内に受信した通過情報の累計値を表示出力することができる。
【符号の説明】
【００９２】
１００                送信機
２００                受信機
３００                データロガー
４００                ＰＣ（パーソナルコンピュータ）
１０１                センサ入力部
１０２                感度調節部
１０３                外部電源入力部
１０４                電源スイッチ
１０５                アンテナ
１０６                緑色ＬＥＤ
１０７                赤色ＬＥＤ
１０８                装着部
１０９                底部
１２０                検知部
１２３                光センサ
２０２                外部出力部
２１０                安定化電源
２１８                計数部
２１９                受信部
２２０                ドライバ回路
２２５                外部電源入力部
２３０                登録部
【図１】
0003162244.tif 000003
【図２】
0003162244.tif 000004
【図３】
0003162244.tif 000005
【図４】
0003162244.tif 000006
【図５】
0003162244.tif 000007
【図６】
0003162244.tif 000008
【図７】
0003162244.tif 000009
【図８】
0003162244.tif 000010
【図９】
0003162244.tif 000011